(57)【要約】【課題】  パチンコ機の前面枠とガラス枠とをそれぞれ施錠するものであって、１つの鍵により、前面枠とガラス枠とをそれぞれ開閉することができ、しかもその施錠における操作感覚を良好にすること。【解決手段】  主側板１ａと，錠取付貫通部１ｃを有する従側板１ｂとが断面略Ｌ字形を構成してなる施錠ベース体１と、前面枠施錠リンク部５とガラス枠施錠リンク部７と、前記前面枠施錠リンク部５及びガラス枠施錠リンク部７に連結され揺動する前面枠施錠鉤部４とガラス枠施錠鉤部６と、錠１０と、該錠１０の錠軸１０ｃに固着される主歯車１１と、前記主側板１ａに装着され，前記主歯車１１により回動する従動歯車１２と、該従動歯車１２とともに回動する伝達部材１３とからなること。前記前面枠施錠リンク部５とガラス枠施錠リンク部７は前記伝達部材１３に枢支連結されてなること。【選択図】      図１
2005341977.tif 000002
【特許請求の範囲】
【請求項１】
主側板と，錠取付貫通部を有する従側板とが断面略Ｌ字形を構成してなる施錠ベース体と、前面枠施錠リンク部とガラス枠施錠リンク部と、前記前面枠施錠リンク部及びガラス枠施錠リンク部に連結され揺動する前面枠施錠鉤部とガラス枠施錠鉤部と、錠と、該錠の錠軸に固着される主歯車と、前記主側板に装着され，前記主歯車により回動する従動歯車と、該従動歯車とともに回動する伝達部材とからなり、前記前面枠施錠リンク部とガラス枠施錠リンク部は前記伝達部材に枢支連結されてなることを特徴とするパチンコ機用枠施錠装置。
【請求項２】
請求項１において、前記伝達部材は前記従動歯車と歯合する歯車とし、前記前面枠施錠リンク部及びガラス枠施錠リンク部を構成するリンク部材の一端が枢支連結されるリンク連結部が形成されてなることを特徴とするパチンコ機用枠施錠装置。
【請求項３】
請求項１において、前記伝達部材は前記従動歯車に設けられた揺動するレバー部材とし、該レバー部材の一端が前記前面枠施錠リンク部及びガラス枠施錠リンク部を構成するリンク部材の一端と枢支連結されるリンク連結部が形成されてなることを特徴とするパチンコ機用枠施錠装置。
【発明の詳細な説明】
【技術分野】
【０００１】
本発明は、パチンコ機の前面枠とガラス枠とをそれぞれ施錠するものであって、１つの鍵により、前面枠とガラス枠とをそれぞれ開閉することができ、しかもその施錠における操作感覚を良好にすることができるパチンコ機用枠施錠装置に関する。
【背景技術】
【０００２】
従来、この種のパチンコ機用枠施錠装置においては、特許文献１に開示されているように、錠軸にカムを固定し、該カムに形成した係合用突起を前面枠施錠リンク部に係合させ、鍵による正逆回転により前面枠施錠リンク部とガラス枠施錠リンク部を上下方向へ摺動させて前面枠及びガラス枠を開閉するようにしたものが存在している。
【特許文献１】特許第３４０１５９２号
【発明の開示】
【発明が解決しようとする課題】
【０００３】
特許文献１に開示されているような、この種のパチンコ機用枠施錠装置では、錠軸の回転運動を特殊な形状のカムによって、前面枠施錠リンク部及びガラス枠施錠リンク部を直線運動に変換させているものが多い。カムによる施錠動作は、その動作に無駄な動作や、大きすぎるあそびが存在することがある。そのために鍵による開閉操作において、カムがリンク部材を作動させるまでにかかる力に大きく変化が生じることがある。よって、この種のものでは、その鍵操作はあまり良好なものとはいえない。本発明の目的は、パチンコの施錠装置における錠の鍵動作を良好なものとすることにある。
【課題を解決するための手段】
【０００４】
そこで、発明者は上記課題を解決すべく、鋭意研究を重ねた結果、本発明を、主側板と，錠取付貫通部を有する従側板とが断面略Ｌ字形を構成してなる施錠ベース体と、前面枠施錠リンク部とガラス枠施錠リンク部と、前記前面枠施錠リンク部及びガラス枠施錠リンク部に連結され揺動する前面枠施錠鉤部とガラス枠施錠鉤部と、錠と、該錠の錠軸に固着される主歯車と、前記主側板に装着され，前記主歯車により回動する従動歯車と、該従動歯車とともに回動する伝達部材とからなり、前記前面枠施錠リンク部とガラス枠施錠リンク部は前記伝達部材に枢支連結されてなるパチンコ機用枠施錠装置としたことにより、上記課題を解決したものである。
【０００５】
次に、前述の構成において、前記伝達部材は前記従動歯車と歯合する歯車とし、前記前面枠施錠リンク部及びガラス枠施錠リンク部を構成するリンク部材の一端が枢支連結されるリンク連結部が形成されたり、或いは、前述の構成において、前記伝達部材は前記従動歯車に設けられた揺動するレバー部材とし、該レバー部材の一端が前記前面枠施錠リンク部及びガラス枠施錠リンク部を構成するリンク部材の一端と枢支連結されるリンク連結部が形成されてなるパチンコ機用枠施錠装置としたことにより、上記課題を解決したものである。
【発明の効果】
【０００６】
請求項１の発明によれば、錠には主歯車と、前記主側板に装着され，前記主歯車により回動する従動歯車と、該従動歯車とともに回動する伝達部材とからなり、鍵操作により、主歯車が従動歯車に回転力を伝達し、その伝達力により伝達部材から前記前面枠施錠リンク部及びガラス枠施錠リンク部に回転を伝達させることができる。この歯車機構により、前記リンクには高い精度で動作させることができ、また鍵を回転操作させるときには、比較的小さな力にて動作させることができる。請求項２の発明によれば、伝達部材を歯車とすることにより、従動歯車からの回転力を受けて、より一層，正確且つ強力な回転力を伝達することができる。また請求項３の発明によれば、簡単な構造にて組み立てることができる。
【発明を実施するための最良の形態】
【０００７】
以下、本発明の実施形態を図面に基づいて説明する。パチンコ機は、図６に示すように、機枠１９の前面に前面枠部２０が開閉自在に装着される。該前面枠部２０の前面にはガラス枠部２３が開閉自在に装着される。前記前面枠部２０の裏面には取付枠２１が固着され、該取付枠２１にパチンコ機構部２２が装着されている。また、前記前面枠部２０の裏面側で、開閉中心と反対側の位置にパチンコ機用枠施錠装置Ａが装着される。
【０００８】
そのパチンコ機用枠施錠装置Ａは、図１（Ａ），（Ｂ），図２（Ａ），図３（Ａ）等に示すように、施錠ベース体１，前面枠施錠鉤部４，前面枠施錠リンク部５，ガラス枠施錠鉤部６，ガラス枠施錠リンク部７等から構成されたものである。その施錠ベース体１は、板状に形成された主側板１ａと従側板１ｂとから構成されており、前記主側板１ａと従側板１ｂとが略直角を構成している。すなわち、前記施錠ベース体１は、その長手方向に直交する断面形状が前記主側板１ａと従側板１ｂとによって、略「Ｌ」字形状に形成されたものである（図４参照）。
【０００９】
その従側板１ｂには、図３（Ａ）に示すように、錠取付貫通部１ｃが形成されており、錠１０を装着する部位である。その主側板１ａには、図１乃至図３等に示すように、従動歯車１２が回動自在に軸支されている。この従動歯車１２は、主側板１ａの面に対して水平面上に回動するもので、その回転面は、前記施錠ベース体１に錠１０が装着された状態で、前記錠軸１０ｃに直交して設けられている〔図１（Ｃ），図２（Ｂ）参照〕。その従動歯車１２に隣接して伝達部材１３が装着されている。該伝達部材１３は、前記従動歯車１２からの回転を前記前面枠施錠リンク部５及びガラス枠施錠リンク部７に往復動作を伝達する役目をなすものである。
【００１０】
また、前記主側板１ａの長手方向の両端箇所には、図１（Ａ）乃至（Ｃ）に示すように、前面枠施錠鉤部４が揺動自在に枢支連結されている。具体的には、前記主側板１ａにおける前記前面枠施錠鉤部４の装着箇所は、主側板１ａの表面側に円形状の膨出部が形成され、該膨出部上に前面枠施錠鉤部４がリベット，ピン等の枢支部材１４により、枢支連結され、その前面枠施錠鉤部４は前記枢支部材１４を揺動中心として揺動するものである。その前面枠施錠鉤部４と前記従動歯車１２により動作する伝達部材１３との間には、前面枠施錠リンク部５が連結され、前記伝達部材１３の動作に伴って前記前面枠施錠鉤部４が揺動動作する。その前面枠施錠リンク部５は、前記伝達部材１３を中心として、２つ存在している。
【００１１】
そして、さらにその２つの前面枠施錠リンク部５，５は、図１（Ａ），（Ｂ），図２（Ａ）に示すように、長手方向の長さが異なっている。これは、伝達部材１３の装着位置が施錠ベース体１の長手方向の中央よりもいずれか一方側の端部寄りに位置しているからである。また、２つの前面枠施錠リンク部５，５のうち、長手方向に長い前面枠施錠リンク部５は、複数のリンク材５ａ，５ａ，…が直列状に連結されて構成されたものであり、具体的には、２本のリンク材５ａ，５ａからなる２部材構成としている。これらリンク材５ａ，５ａは、その一方側のリンク材５ａにピン９が固着され、他方側のリンク材５ａに連結孔５ａ1 が形成されて、このピン５ｂと連結孔５ａ1 により連結されるものであり、その連結孔５ａ1 は長孔状に形成されており、該連結孔５ａ1 内を前記ピン９が摺動自在となっている。
【００１２】
また、長手方向に短い前面枠施錠リンク部５は、一つのリンク材５ａのみで構成され、前記従動歯車１２にピン９により連結されている。前記一つのリンク材５ａと従動歯車１２との連結が行なわれる箇所にも長孔状の連結孔５ａ1 が形成され、前記伝達部材１３とリンク材５ａとを連結するピン９が摺動可能となっている。また、前面枠施錠リンク部５には、前記前面枠施錠鉤部４が起立している状態を維持する方向に付勢するようにスプリング材３が前面枠施錠リンク部５と施錠ベース体１との間に掛け渡される。また、前記スプリング材３は前面枠施錠鉤部４と施錠ベース体１との間に掛け渡されることもある。
【００１３】
さらに、前記主側板１ａには、その長手方向の両側箇所に２つのガラス枠施錠鉤部６，６が揺動自在となるようにリベット，ピン等の枢支部材１４により、枢支連結され、そのガラス枠施錠鉤部６は前記枢支部材１４を揺動中心として揺動するものである。さらに、そのガラス枠施錠鉤部６，６を揺動させるガラス枠施錠リンク部７が伝達部材１３との間にピン９を介して連結されている。
【００１４】
前記施錠ベース体１の従側板１ｂには、錠取付貫通部１ｃが形成されている。該錠取付貫通部１ｃは、前記主側板１ａの後述する従動歯車１２及び伝達部材１３の装着位置に対応する位置に形成されたものである。その錠取付貫通部１ｃは、後述する錠１０の錠本体部１０ａが挿入されるものであって、錠本体部１０ａの断面形状に対応する形状となっている。すなわち、錠取付貫通部１ｃは、錠本体部１０ａの断面形状と特に同一とする必要はないが、前記錠本体部１０ａが挿入されたときに、適正な装着ができるように案内可能なものとしたものである。
【００１５】
よって、錠取付貫通部１ｃの形状は、錠本体部１０ａと部分的に同一部分が存在するように形成されたものである。前述の錠１０，従動歯車１２及び伝達部材１３が装着される施錠ベース体１の部位には、図３に示すように、補助ベース部材１ｅが配置されることもある。該補助ベース部材１ｅは、前記施錠ベース体１と同質の金属板材にて形成されたものである。この補助ベース部材１ｅによって、施錠ベース体１に装着された錠１０，従動歯車１２及び伝達部材１３とがより一層強固な装着状態にすることができるし、これらの装着部位の補強を行なうことができる。
【００１６】
前記錠１０は、フランジ部１０ｂが前記錠取付貫通部１ｃの周囲に当接されてビス等の固着具にて固着される。前記錠取付貫通部１ｃの付近には、前記フランジ部１０ｂの取付孔に対応する位置に複数の螺子孔１ｄ，１ｄが形成されている。また、前記従側板１ｂには、前記ガラス枠施錠鉤部６の先端が挿通且つ突出するように鉤用貫通孔が形成されている。また、施錠ベース体１に前記補助ベース部材１ｅが装着された場合には、前記錠取付貫通部１ｃ及び螺子孔１ｄ，１ｄ等が形成される。
【００１７】
次に、前記錠１０は、図６に示すように、錠本体部１０ａとフランジ部１０ｂから構成されており、前記錠本体部１０ａには錠軸１０ｃが装着され、該錠軸１０ｃが鍵１５の操作により回動する。また前記錠１０は、フランジ部１０ｂが形成されている側を錠１０の正面側とする〔図１（Ｃ），図２，図３等参照〕。そして、その錠軸１０ｃは錠本体部１０ａの外部に突出し、その突出した錠軸１０ｃ先端に主歯車１１が装着されている。
【００１８】
その主歯車１１は、図２（Ａ），（Ｂ）に示すように、前記従動歯車１２と噛み合うように設定され、前記錠軸１０ｃの回動とともに前記主歯車１１が回動し、これによって前記従動歯車１２が回動を行なう。その従動歯車１２は、前記主歯車１１よりも歯数が少なく形成された、小歯車であることが好ましい〔図２（Ａ），（Ｂ）参照〕。この主歯車１１と従動歯車１２とのそれぞれの回動面は、相互に直角となるように設定されたものである。前記主歯車１１には、フェースギヤが使用され、前記従動歯車１２には、通常の平歯車が使用される。該従動歯車１２は、後述する伝達部材１３に回動を伝達する役目をなすものである。
【００１９】
次に、伝達部材１３は、前記主側板１ａに回動自在に装着された歯車であり、前記従動歯車１２と同様に通常の平歯車が使用される。そして、その伝達部材１３は、該従動歯車１２の回動により、共に回動することができるようになっている。この伝達部材１３には、複数のタイプが存在し、その第１タイプとしては、図２に示すように、歯車部材が使用されるものであり、このタイプを伝達歯車１３ａと称する。そして、該伝達歯車１３ａには、その外周の適宜の箇所に連結部１３ｃが形成されている。
【００２０】
該連結部１３ｃは、図３（Ａ）に示すように、伝達歯車１３ａの外周から他の歯部よりも直径方向に突出形成された突起部１３ｃ1 にピン９用のピン孔１３ｃ2 が形成されたものである。該ピン孔１３ｃ2 には、前記ピン９が圧入状態又は相互に螺子が形成されて螺子止めによりピン孔１３ｃ2 にピン９が装着固定されるものであり、前記前面枠施錠リンク部５のリンク材５ａ及びガラス枠施錠リンク部７のリンク材７ａが前記連結部１３ｃにピン９を介して枢支連結されるようになっている。そして、後述するように錠に挿入した鍵１５を１方向に回転させることで前面枠施錠鉤部４が揺動動作を行い、また前記鍵１５を前述とは反対方向に回転させることにより、ガラス枠施錠鉤部６が揺動動作を行なうものである〔図５（Ａ），（Ｂ）参照〕。
【００２１】
次に、前記伝達部材１３の第２タイプとしては、図４に示すように、レバー部材１３ｂとしたものであり、前記従動歯車１２にレバー部材１３ｂが設けられ、従動歯車１２とともに回動するようにしたものである。そのレバー部材１３ｂの長手方向一端側が前記従動歯車１２に配置固着され、この従動歯車１２との固着箇所がレバー部材１３ｂの揺動中心となる。また、そのレバー部材１３ｂの他端側は揺動自由端となり、前記連結部１３ｃが形成され、該連結部１３ｃ箇所に前記ピン孔１３ｃ2 が形成されている。
【００２２】
そして、前記レバー部材１３ｂの揺動自由端側が前記前面枠施錠リンク部５及びガラス枠施錠リンク部７を構成する前面枠施錠リンク部５のリンク材５ａ又はガラス枠施錠リンク部７のリンク材７ａの一端が前記ピン９を介して枢支連結されている。この伝達部材１３の第２タイプとしたレバー部材１３ｂは、前記従動歯車１２と一体的に形成されたり、又は別部材として形成され、前記従動歯車１２にビス等の固着具にて固着される。
【００２３】
そのパチンコ機用枠施錠装置Ａにおける施錠ベース体１の従側板１ｂが前記前面枠部２０に装着される。前面枠部２０には、前記錠１０の錠本体部１０ａが挿入する錠収納孔等が形成されており、その錠収納孔に収納された錠１０は、前記前面枠部２０の外部，すなわちガラス枠側から前記錠本体部１０ａに設けられた鍵穴が露出するようになっている。そして、作業員はその鍵穴から鍵操作を行い、ガラス枠部２３を開閉することができるようになっている。
【００２４】
このように、本発明におけるパチンコ機用枠施錠装置Ａは、錠１０に鍵１５を挿入して、鍵操作を行なうことにより、主歯車１１が従動歯車１２に回転動作を伝達し、その伝達力により伝達部材１３を回転又は揺動させ、前面枠施錠リンク部５に前面枠施錠鉤部４の開閉動作を与えたり、又はガラス枠施錠リンク部７にガラス枠施錠鉤部６の開閉動作を与える。この主歯車１１と従動歯車１２との歯車機構により、動作伝達に無駄がなく、前記リンクには高い精度で動作させることができる。
【００２５】
さらに、長期に亘って使用しても、上述したように、その伝達に歯車機構を採用しているので、動作の狂いが生じにくく、常時良好な開閉動作を維持することができる。また、前面枠部２０又はガラス枠部２３の開閉作業において、従動歯車１２を主歯車１１よりも小歯車とすることにより、鍵１５を回転操作させるときには、比較的小さな力にて動作させることができる利点がある。
【図面の簡単な説明】
【００２６】
【図１】（Ａ）は本発明におけるパチンコ機用枠施錠装置の平面図、（Ｂ）はパチンコ機用枠施錠装置の正面図、（Ｃ）は（Ｂ）のイ部拡大図である。
【図２】（Ａ）はパチンコ機用枠施錠装置の錠取付け箇所における平面図、（Ｂ）は（Ａ）の要部拡大図である。
【図３】（Ａ）は錠と施錠ベース体とを分離した状態の要部の斜視図、（Ｂ）は施錠ベース体に錠が装着された状態の要部斜視図である。
【図４】（Ａ）は第２タイプの伝達部材を設けた本発明の要部拡大平面図、（Ｂ）は施錠ベース体に従動歯車及び第２タイプの伝達部材が装着された要部斜視図、（Ｃ）は第２タイプの伝達部材と主歯車を装着した錠とを組み合わせた要部斜視図である。
【図５】（Ａ）はパチンコ機用枠施錠装置において前面枠施錠鉤部を開いた状態の要部平面図、（Ｂ）はパチンコ機用枠施錠装置においてガラス枠施錠鉤部を開いた状態の要部平面図である。
【図６】パチンコ機の前面枠及びガラス枠をそれぞれ開いた斜視図である。
【符号の説明】
【００２７】
１…施錠ベース体、１ａ…主側板、１ｃ…錠取付貫通部、１ｂ…従側板、
５…前面枠施錠リンク部、７…ガラス枠施錠リンク部、１０…錠、１０ｃ…錠軸、
１１…主歯車、１２…従動歯車、１３…伝達部材、１３ａ…伝達歯車、
１３ｂ…レバー部材。
【図１】
2005341977.tif 000003
【図２】
2005341977.tif 000004
【図３】
2005341977.tif 000005
【図４】
2005341977.tif 000006
【図５】
2005341977.tif 000007
【図６】
2005341977.tif 000008